(57)【要約】【課題】より簡易に製造することが可能な電気泳動表示装置を提供する。【解決手段】基板と、基板に対して画素毎に形成された複数の画素電極部と、各画素電極部に電圧を印加する電圧印加手段と、着色された荷電粒子を収容し、複数の画素電極部に亘って延びるように配置された荷電粒子収容室と、を備え、各画素電極部は、画素の中央に配置される第１電極、及び画素の周縁部に配置される第２電極を有する、電気泳動表示装置。【選択図】図１
2012230256.tif 000002
【特許請求の範囲】
【請求項１】
基板と、
前記基板に対して画素毎に形成された複数の画素電極部と、
前記各画素電極部に電圧を印加する電圧印加手段と、
着色された荷電粒子を収容し、前記複数の画素電極部に亘って延びるように配置された荷電粒子収容室と、を備え、
前記各画素電極部は、画素の中央に配置される第１電極、及び画素の周縁部に配置される第２電極を有する、電気泳動表示装置。
【請求項２】
前記複数の画素電極部が形成された基板、前記荷電粒子収容室、及び前記電圧印加手段からなる表示部を少なくとも３層有しており、
前記各荷電粒子収容室内の荷電粒子は、異なる色に着色されている、請求項１に記載の電気泳動表示装置。
【請求項３】
前記各第１及び第２電極は、前記基板の一方面上に配置され、
前記電気印加手段は、前記基板の他方面上に形成されるとともに前記基板に設けられたスルーホールを介して前記各第１電極に接続される第１配線、及び前記基板の一方面上に形成され前記各第２電極に接続される第２配線を有する、請求項１又は２に記載の電気泳動表示装置。
【請求項４】
前記各第１電極は、前記基板の一方面上に配置され、
前記各第２電極は、前記基板の他方面上に配置されており、
前記電気印加手段は、前記基板の一方面上に形成され前記各第１電極に接続される第１配線、及び前記基板の他方面上に形成され前記各第２電極に接続される第２配線を有する、請求項１又は２に記載の電気泳動表示装置。
【請求項５】
前記荷電粒子収容室内に収容され前記複数の画素電極部に亘って延びる格子状部材をさらに備える、請求項１〜４のいずれかに記載の電気泳動表示装置。
【請求項６】
前記荷電粒子は、フッ素を含有する材料から成り、負電荷を有するエレクトレット性粒子である、請求項１〜５のいずれかに記載の電気泳動表示装置。
【発明の詳細な説明】
【技術分野】
【０００１】
本発明は、電気泳動表示装置に関する。
【背景技術】
【０００２】
近年、荷電粒子を電気泳動させることにより画像を表示する電気泳動表示装置（いわゆる電子ペーパー）が、次世代表示装置として普及してきている。この電気泳動表示装置は、例えば、特許文献１に提案されているように、上下に設けられた電極の間に画素数分のマイクロカプセルが配置された構成をとっており、各マイクロカプセル内には、正に帯電させた白色荷電粒子及び負に帯電させた黒色荷電粒子が収容されている。この電気泳動表示装置において、上側の電極が陰極且つ下側の電極が陽極となるよう電圧を印加すると、白色荷電粒子がマイクロカプセルの上端部へ移動し、黒色荷電粒子がマイクロカプセルの下端部へと移動するため、マイクロカプセルの上方からは白色が観察される。一方、上側の電極が陽極且つ下側の電極が陰極となるよう電圧を印加すると、黒色荷電粒子がマイクロカプセルの上端部に、白色荷電粒子がマイクロカプセルの下端部に移動するため、マイクロカプセルの上方からは黒色が観察される。
【先行技術文献】
【特許文献】
【０００３】
【特許文献１】特開２００５―７０４６２号公報
【発明の概要】
【発明が解決しようとする課題】
【０００４】
しかしながら、上述したような電気泳動表示装置の場合、画素毎にマイクロカプセルを作製した上、各マイクロカプセルに荷電粒子を充填する必要があり、製造工程が煩雑であるという問題があった。
【０００５】
そこで、本発明は、より簡易に製造することが可能な電気泳動表示装置を提供することを課題とする。
【課題を解決するための手段】
【０００６】
本発明に係る電気泳動表示装置は、上記課題を解決するためになされたものであり、基板と、前記基板に対して画素毎に形成された複数の画素電極部と、前記各画素電極部に電圧を印加する電圧印加手段と、着色された荷電粒子を収容し、前記複数の画素電極部に亘って延びるように配置された荷電粒子収容室と、を備え、前記各画素電極部は、画素の中央に配置される第１電極、及び画素の周縁部に配置される第２電極を有する。
【０００７】
上記電気泳動表示装置は、基板に対して複数の画素電極部が形成されており、荷電粒子が収容された荷電粒子収容部がこの各画素電極部に亘って延びるよう配置されている。このため、電圧印加手段によって各画素電極部に電圧が印加された際、荷電粒子は画素電極部を跨って荷電粒子収容室内を移動し、荷電粒子及び各画素電極部の極性に応じて各画素電極部の第１電極又は第２電極に集積する。このように、上記電気泳動表示装置は、荷電粒子収容室内の荷電粒子によって複数の画素を表示することができ、従来のように画素毎にマイクロカプセルを作製する必要がないため、簡易に製造することができる。なお、本発明における「基板に対して画素毎に形成された複数の画素電極部」は、第１電極と第２電極とが基板の同一面上に設けられていてもよく、また、第１電極と第２電極とが基板の異なる面に設けられていてもよい。また、「各画素電極部に亘って延びるように配置された荷電粒子収容室」とは、荷電粒子収容室が基板の一方面側に配置される場合だけでなく、荷電粒子収容室内に基板が収容されている場合も含む。
【０００８】
また、上記電気泳動表示装置は、複数の画素電極部が形成された基板、荷電粒子収容室、及び電圧印加手段からなる表示部を少なくとも３層有しており、各荷電粒子収容室内の荷電粒子は、異なる色に着色されているよう構成されていてもよい。この構成によれば、各画素においてさまざまな色を表示することができ、また、画素毎に異なる色を表示することもできる。
【０００９】
また、上記電気泳動表示装置において、各第１及び第２電極は、基板の一方面上に配置され、電気印加手段は、基板の他方面上に形成されるとともに基板に設けられたスルーホールを介して各第１電極に接続される第１配線、及び基板の一方面上に形成され各第２電極に接続される第２配線を有するよう構成することができる。この構成によれば、第１及び第２電極間で短絡が生じるのを防止することができる。
【００１０】
また、上記電気泳動表示装置において、各第１電極は、基板の一方面上に配置され、各第２電極は、基板の他方面上に配置されており、電気印加手段は、基板の一方面上に形成され各第１電極に接続される第１配線、及び基板の他方面上に形成され各第２電極に接続される第２配線を有するよう構成されていてもよい。この構成の場合も、第１及び第２電極間で短絡が生じるのを防止することができる。
【００１１】
また、上記電気泳動表示装置は、荷電粒子収容室内に収容され複数の画素電極部に亘って延びる格子状部材をさらに備えることができる。この構成によれば、荷電粒子収容室内の荷電粒子が特定の画素電極部に集まるのを抑制することができる。
【００１２】
また、上記電気泳動表示装置において、荷電粒子は、フッ素を含有する材料から成り、負電荷を有するエレクトレット性粒子とすることができる。この構成によれば、荷電粒子を規則的且つ高速に電気泳動させることができる。
【発明の効果】
【００１３】
本発明によれば、電気泳動表示装置をより簡易に製造することができる。
【図面の簡単な説明】
【００１４】
【図１】本発明に第１実施形態に係る電気泳動表示装置の正面断面概略図である。
【図２】本発明に第１実施形態に係る電気泳動表示装置の基板の平面断面概略図である。
【図３】本発明に第１実施形態に係る電気泳動表示装置の作動を示す部分拡大正面断面図である。
【図４】本発明に第１実施形態に係る電気泳動表示装置の作動を示す平面断面概略図である。
【図５】本発明に第２実施形態に係る電気泳動表示装置の正面断面概略図である。
【図６】本発明に第２実施形態に係る電気泳動表示装置の作動を示す部分拡大正面断面図である。
【図７】上記実施形態の変形例に係る第１及び第２電極の配置を示す平面図である。
【発明を実施するための形態】
【００１５】
（第１実施形態）
以下、本発明に係る電気泳動表示装置の第１実施形態について図１〜図４を参照しつつ説明する。
【００１６】
第１実施形態に係る電気泳動表示装置１は、図１及び図２に示すように、基板２と、基板２上に設けられた複数の画素電極部３と、各画素電極部３に電圧を印加する電圧印加手段４と、基板２に沿って延びる荷電粒子収容室５と、を備えている。
【００１７】
基板２は、例えば、ガラスや、ポリエチレンテレフタラートといった透明性合成樹脂等の材料で形成されており、図２に示すように、後述する電圧印加手段４と各画素電極部３を電気的に接続するために使用されるスルーホール２１が複数形成されている。また、基板２には、複数の画素電極部３が形成されており、各画素電極部３は、画素の中央に配置された第１電極３１、及び画素の周縁部においてこの第１電極３の周りを囲むよう配置された第２電極３２を有している。第２電極３２の面積は、特に限定されるものではないが、例えば、第１電極３１の面積の０．１〜５０％程度とすることが好ましい。なお、第１電極３１及び第２電極３２は、例えば、銀や銅といった導電性のよい金属、透明な導電性樹脂、又はＩＴＯ（酸化インジウムスズ）膜等を材料として用いることができ、印刷、蒸着、メッキ等で基板２上に形成することができる。
【００１８】
電圧印加手段４は、各画素電極部３に対して電圧を印加するものであり、図２に示すように、Ｘ軸駆動回路４１及びＹ軸駆動回路４２を有している。Ｘ軸駆動回路４１からは複数のＸ軸電極線４３（第１配線）が延びており、各Ｘ軸電極線４３は、Ｘ軸方向に並ぶ画素電極部３の第１電極３１それぞれに対し、薄膜トランジスタ（図示省略）及びスルーホール２１を介して基板２の下面側から接続されている。Ｙ軸駆動回路４２からは複数のＹ軸電極線４４（第２配線）が延びており、各Ｙ軸電極線４４は、Ｙ軸方向に並ぶ画素電極部３の各第２電極３２に基板２の上面側から接続されている。このような構成により、Ｘ軸駆動回路４１からあるＸ軸電極線４３に電圧が供給されると、このＸ軸電極線４３と接続された全ての第１電極３１の薄膜トランジスタ（図示省略）がＯＮになり、各第１電極３１に電圧が印加される。この状態で、Ｙ軸駆動回路４２からあるＹ軸電極線４４に電圧が供給されると、このＹ軸電極線４４と既に電圧が供給されているＸ軸電極線４３との交点にある画素電極部３において、第１電極３１と第２電極３２との間で電位差が発生する。この電位差により、後述する荷電粒子収容室５内の荷電粒子５１が第１電極３１又は第２電極３２に向かって移動する。
【００１９】
荷電粒子収容室５は、図１に示すように、各画素電極部３に亘って延びるよう、基板２の上方に配置されている。この荷電粒子収納室８には、白色や黒色等、一色に着色された荷電粒子５１が電気泳動媒体とともに充填されている。この荷電粒子収納室８内には、荷電粒子５１が特定位置に集まらないよう、格子状部材６が収容されていることが好ましい。なお、この荷電粒子収納室８内の荷電粒子５１の色が視認され易くなるよう、基板２の下方に黒色板又は白色板を設けることができる。
【００２０】
荷電粒子収容室５の材料としては、絶縁性で透明なものであれば特に限定されないが、例えば、アクリル、ＰＥＴ、又はガラスといった透明性合成樹脂等を使用することができる。また、電気泳動媒体としては、空気の他、例えば、エチレングリコール（ＥＧ）、プロピレングリコール（ＰＧ）、グリセリン、ジメチルシリコーンオイル等のシリコーンオイル、パーフルオロポリエーテルオイル等のフッ素系オイル、又は石油系オイルといった液体媒体を挙げることができ、液体媒体の中では特にシリコーンオイルが好ましい。
【００２１】
荷電粒子５１は、フッ素を含有する材料から成り、負帯電性のエレクトレット性粒子である。荷電粒子５１の平均粒子径は、特に限定されるものではないが、小型ディスプレイの場合は０．０１〜２０μｍであり、大型ディスプレイの場合は、通常０．５〜３ｍｍ、好ましくは１〜２ｍｍである。
【００２２】
この荷電粒子５１は、小型ディスプレイ用の場合、常圧又は加圧下で液状の含フッ素化合物（非重合性）又は含フッ素重合性化合物を、これらが相溶しない液体中で乳化することにより乳化粒子とし、乳化粒子を懸濁状態のまま又は電気泳動媒体に再分散させた状態でこの乳化粒子に電子線又は放射線を照射することで製造することができる。電子線又は放射線の照射条件は、粒子をエレクトレット化できる限り限定されないが、電子線については、例えば、電子線加速器を用いて１０〜５０ｋＧｙ程度のものを照射すればよく、放射線については、例えば、１〜１５ｋＧｙ程度のガンマ線を照射すればよい。なお、加圧下で液状の含フッ素化合物及び含フッ素重合性化合物は、温度０〜１００℃程度、圧力５〜３０ｂａｒ程度で液体のものが好適に利用でき、その場合には液体となる条件下において乳化粒子を調製する。また、含フッ素重合性化合物を用いる場合は、この乳化粒子を加熱又は紫外線照射等により硬化させる。加熱硬化の場合には、例えば、８０℃程度で１時間加熱して硬化させればよい。また、紫外線照射による場合は、波長３６５ｎｍの紫外線を１〜２Ｊ／ｃｍ２程度照射して硬化させればよい。
【００２３】
含フッ素化合物としては、公知のフッ素系樹脂、フッ素系オイル、フッ素系接着剤等を広く利用することができる。フッ素系樹脂としては、四フッ化エチレン樹脂等が挙げられる。具体例としては、ポリテトラフルオロエチレン（ＰＴＦＥ）「ＦＲ１Ｃ＝Ｒ１Ｒ２  Ｒ１＝Ｆ又はＨ、Ｒ２＝Ｆ又はＨ又はＣｌ又は任意」等が挙げられる。フッ素系オイルとしては、パーフルオロポリエーテルオイル、三フッ化塩化エチレン低重合体等が挙げられる。具体例としては、パーフルオロポリエーテルオイル（商品名「デムナム」ダイキン工業製）、三フッ化塩化エチレン低重合体（商品名「ダイフロイル」ダイキン工業製）等が挙げられる。フッ素系接着剤としては、紫外線硬化型フッ素化エポキシ接着剤等が挙げられる。具体例としては、商品名「オプトダイン」（ダイキン工業製）等が挙げられる。
【００２４】
含フッ素重合性化合物としては、公知のフッ素系エラストマー、フッ素塗料ワニス、重合性フッ素樹脂等を広く利用することができる。含フッ素重合性化合物として用いられるフッ素系エラストマーとしては、直鎖状フルオロポリエーテル化合物が挙げられる。具体例としては、商品名「ＳＩＦＥＬ３５９０−Ｎ」、「ＳＩＦＥＬ２６１０」、「ＳＩＦＥＬ８４７０」（いずれも信越化学工業製）等が挙げられる。フッ素塗料ワニスとしては、四フッ化エチレン／ビニルモノマー共重合体（商品名「ゼッフル」ダイキン工業製）等が挙げられる。重合性フッ素樹脂としては、重合性アモルファスフッ素樹脂（商品名「ＣＹＴＯＰ」旭硝子製）等が挙げられる。
【００２５】
含フッ素化合物及び含フッ素重合性化合物が相溶しない液体としては限定的ではないが、例えば、水、エチレングリコール（ＥＧ）、プロピレングリコール（ＰＧ）、グリセリン、シリコーンオイル等が挙げられる。これらの中から、用いる含フッ素化合物又は含フッ素重合性化合物に応じて適宜選択する。含フッ素化合物及び含フッ素重合性化合物が相溶しない液体は、いわゆる電気泳動媒体を用いてもよい。電気泳動媒体としては、例えば、エチレングリコール（ＥＧ）、プロピレングリコール（ＰＧ）、グリセリン、ジメチルシリコーンオイル等のシリコーンオイル、パーフルオロポリエーテルオイル等フッ素系オイル、石油系オイル等が挙げられる。
【００２６】
乳化に用いる乳化剤としては、ポリビニルアルコール、エチレン無水マレイン酸等が挙げられる。乳化剤の含有量は、含フッ素化合物及び含フッ素重合性化合物が相溶しない液体中に１〜１０重量％程度とすることが好ましい。乳化粒子を調製する際は、これらの成分を攪拌機、ミキサー、ホモジナイザー等の公知の混合機に投入し、均一に混合することによって調製することができる。この場合、加熱しながら混合することが好ましい。
【００２７】
また、大型ディスプレイ用の場合、荷電粒子５１は、例えば、フッ素含有樹脂シートに電子線又は放射線を照射してエレクトレット化した後、このフッ素含有樹脂シートを公知のプラスチックフィルム粉砕装置等で破砕することによって製造することができる。電子線又は放射線の照射条件は、フッ素含有樹脂シートをエレクトレット化できる限り限定されないが、垂直方向からシート全体に同時且つ均一に電子線又は放射線を照射することが好ましい。電子線又は放射線の照射量については、例えば、電子線加速器を用いて１０〜２０００ｋＧｙ程度の電子線、あるいは１〜１５ｋＧｙ程度のガンマ線を照射すればよい。
【００２８】
フッ素含有樹脂シートとしては、電子トラップとして機能する限り特に限定されず、例えば、テトラフルオロエチレン−ヘキサフルオロプロピレン共重合体シート（FEP）、テトラフルオロエチレン−パーフルオロアルキルビニルエーテル共重合体シート（PFA）、ポリテトラフルオロエチレンシート（PTFE）、テトラフルオロエチレン−エチレン共重合体シート（ETFE）、ポリビニリデンフルオライドシート（PVDF）、ポリクロロトリフルオロエチレンシート（PCTFE）、クロロトリフルオエチレン−エチレン共重合体シート
（ECTFE）等が挙げられる。これらのフッ素含有樹脂シートの中でも、特にFEPシート、PFAシート及びPTFEシートの少なくとも１種が好ましい。
【００２９】
上述したような含フッ素化合物、含フッ素重合性化合物、及びフッ素含有樹脂シートには予め顔料が配合されている。この顔料としては、特に限定されるものではないが、β−ナフトール系、ナフトールＡＳ系、アセト酢酸、アリールアミド系、ピラゾロン系、アセト酢酸アリールアミド系、ピラゾロン系、β−ナフトール系、β−オキシナフトエ酸系（ＢＯＮ酸系）、ナフトールＡＳ系、アセト酢酸アリリド系のアゾ顔料等が挙げられる。また、フタロシアニン系、アントラキノン系（スレン系）、ペリレン系・ペリノン系、インジゴ系・チオインジゴ系、キナクリドン系、ジオキサジン系、イソインドリノン系、キノフタロン系、金属錯体顔料、メチン・アゾメチン系、ジケトピロロピロール等の多環状顔料が挙げられる。その他、アジン顔料、昼光蛍光顔料（染料樹脂固溶体）、中空樹脂顔料、ニトロソ顔料、ニトロ顔料、天然顔料等が挙げられる。具体的な市販品としては、ＤＩＣ（株）製のSymuler fast yellow 4GO、Fasdtogen super magenta RG、Fasdtogen blue TGRや、富士色素（株）製のFuji fast red 7R3300E、Fuji fast carmine 527等が挙げられる。これらの顔料の粒子径としては、０．０２〜２０μｍ程度が好ましく、０．０２〜３μｍ程度がより好ましい。
【００３０】
次に、上述したように構成された電気泳動表示装置１の作動について図３及び図４を参照しつつ説明する。なお、図３においては、荷電粒子収容室５内の格子状部材６を省略している。
【００３１】
まず、ある画素Ｐａを表示する場合について説明すると、図４に示すように、画素Ｐａに対応する画素電極部３ａの第１電極３１ａに対し、Ｘ軸電極線４３ａを介してＸ軸駆動回路４１より電圧Ｖ１が印加される。これにより、第１電極３１ａの薄膜トランジスタ（図示省略）がＯＮになり、第１電極３１ａは電圧Ｖ１に維持される。次に、画素電極部３ａの第２電極３２ａに対し、Ｙ軸電極線４４ａを介して、Ｙ軸駆動回路４２から電圧Ｖ１よりも小さい電圧Ｖ２が印加される。これにより、第１電極３１ａが陽極、第２電極３２ａが陰極となり、荷電粒子５１は第１電極３１ａに集積するため、画素Ｐａには荷電粒子５１の色が表示される（図３（ａ））。なお、電圧Ｖ１と電圧Ｖ２との差を小さくすることにより、第１電極３１ａに集積する荷電粒子５１の量を少なくすれば、荷電粒子５１の色と黒色板又は白色板等の色との混合色（グレー等）を表示することができる。
【００３２】
次に、画素Ｐａを表示しない場合について説明すると、上記と同様に、Ｘ軸電極線４３ａを介してＸ軸駆動回路４１から第１電極３１ａに電圧Ｖ３が印加され、Ｙ軸電極線４４ａを介してＹ軸駆動回路４２から第２電極３２ａに電圧Ｖ４が印加される（図４）。このとき、第２電極３２ａの電圧Ｖ４は第１電極３１ａの電圧Ｖ３よりも高くなっており、第１電極３１ａが陰極、第２電極３２ａが陽極となるため、荷電収容室８内の荷電粒子５１は第２電極３２ａに集積する（図３（ｂ））。これにより、画素Ｐａにおいては、荷電粒子５１の色は表示されず、黒色板又は白色板等の色が表示される。
【００３３】
（第２実施形態）
以下、本発明に係る電気泳動表示装置の第２実施形態について図５及び６を参照しつつ説明する。なお、図５及び６においては、第１実施形態と同様の構成については同じ符号を付し、荷電粒子収容室５内の格子状部材６を省略している。
【００３４】
第２実施形態に係る電気泳動表示装置１０は、図５に示すように、第１〜第３の表示部７１〜７３が積層された構成となっており、第１の表示部７１の荷電粒子収容室５にはグリーンに着色された荷電粒子５１１、第２の表示部７２の荷電粒子収容室５にはレッドに着色された荷電粒子５１２、第３の表示部７３の荷電粒子収容室５にはブルーに着色された荷電粒子５１３が収容されている。なお、第１〜第３の表示部７１〜７３の荷電粒子の色は、例えば、シアン、マゼンタ、及びイエロー等とすることもでき、第１〜第３の表示部７１〜７３の順序は適宜入れ替えることができる。また、第１の表示部７１と第２の表示部７２との間、及び第２の表示部７２と第３の表示部７３との間には、下面に絶縁性材料が塗布され且つアースされた導電体８が設けられており、これにより、各表示部の荷電粒子が別の表示部の画素電極部３によって影響を受けるのを防止している。
【００３５】
このように構成された電気泳動表示装置１０は、第１〜第３の表示部７１〜７３において、第１実施形態と同様に、第１電極３１及び第２電極３２の極性を制御し、これに応じて第１電極３１又は第２電極３２に荷電粒子を集積させることにより、荷電粒子５１１〜５１３の色を表示する。
【００３６】
例えば、ある画素Ｐｂにグリーンを表示させる場合、図６（ａ）に示すように、第１の表示部７１において、第１電極３１ｂが陽極、第２電極３２ｂが陰極となるよう、第１電極３１ｂ及び第２電極３２ｂに電圧を印加し、第１電極３１ａにグリーンの荷電粒子５１１を集積させる。一方、第２の表示部７２及び第３の表示部７３においては、第１電極３１ｂが陰極、第２電極３２ｂが陽極となるよう、第１電極３１ｂ及び第２電極３２ｂに電圧を印加し、レッドの荷電粒子５１２及びブルーの荷電粒子５１３を第２電極３２ｂに集積させる。これにより、画素Ｐｂには、第１の表示部７１の荷電粒子５１１の色であるグリーンが表示される。
【００３７】
同様に、画素Ｐｂにレッドを表示させる場合、第２の表示部７２において第１電極３１ｂにレッドの荷電子５１２を集積させるとともに、第１の表示部７１及び第３の表示部７３においては、グリーンの荷電粒子５１１及びブルーの荷電粒子５１３を第２電極３２ｂに集積させる（図６（ｂ））。また、画素Ｐｂにブルーを表示させる場合は、第３の表示部７３において第１電極３１ｂにブルーの荷電子５１３を集積させるとともに、第１の表示部７１及び第２の表示部７２においては、グリーンの荷電粒子５１１及びレッドの荷電粒子５１２を第２電極３２ｂに集積させればよい（図６（ｃ））。なお、２つ以上の表示部において荷電粒子を第１電極３１ａに集積させると、グリーン、レッド、及びブルーうち２色以上を混合した色を画素Ｐｂに表示することができ、第１電極３１ｂに集積する荷電粒子の量は、第１電極３１ｂ及び第２電極３２ｂに印加される電圧の大きさを変更することにより調節することができる。
【００３８】
以上のように、上記第１及び第２実施形態の電気泳動表示装置は、荷電粒子収容室５内に荷電粒子を充填し、この荷電粒子収容室５を複数の画素電極部３が形成された基板２に沿って配置することで、複数の画素表示が可能なよう構成されている。このため、従来のように画素毎にマイクロカプセルを作製する必要がなく、簡易に製造することができる。
【００３９】
以上、本発明の実施形態について説明したが、本発明はこれらに限定されるものではなく、本発明の趣旨を逸脱しない限りにおいて種々の変更が可能である。例えば、上記実施形態においては、第１電極３１及び第２電極３２は、基板２の同一面上に形成されていたが、基板２の異なる面に形成されていてもよい。この場合、第２実施形態における導電体８は、上面にも絶縁性材料が塗布されることが好ましい。
【００４０】
また、上記実施形態においては、第１電極３１は正方形状に形成されていたが、例えば、三角形、長方形、五角形、六角形といった正方形以外の多角形状や、円形等、種々の形状に形成することができる。
【００４１】
また、上記実施形態においては、第２電極３２は第１電極３１の周りを囲むよう配置されていたが、画素の周縁部に配置されていればこれに限定されず、例えば、図７に示すように、第１電極３１の一辺のみに沿って配置することもできるし、また、第１電極３１の対向する辺に沿って配置することもできる。
【００４２】
また、上記実施形態においては、基板２は、荷電粒子収容室５の下方に配置されていたが、荷電粒子収容室５の上方に配置されてもよく、また、荷電粒子収容室５内に収容することもできる。
【００４３】
また、上記実施形態において、荷電粒子は負帯電性のエレクトレット性粒子であったが、荷電粒子収容室５内において電気泳動が可能な粒子であればよく、正に帯電させてもよく、また、エレクトレット化されていなくてもよい。
【符号の説明】
【００４４】
１、１０      電気泳動表示装置
２            基板
２１          スルーホール
３            画素電極部
３１          第１電極
３２          第２電極
４            電圧印加手段
４３          Ｘ軸電極線（第１配線）
４４          Ｙ軸電極線（第２配線）
５            荷電子収容室
６            格子状部材
７１〜７３    表示部
【図１】
2012230256.tif 000003
【図２】
2012230256.tif 000004
【図３】
2012230256.tif 000005
【図４】
2012230256.tif 000006
【図５】
2012230256.tif 000007
【図６】
2012230256.tif 000008
【図７】
2012230256.tif 000009
【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
基板と、
前記基板に対して画素毎に形成された複数の画素電極部と、
前記各画素電極部に電圧を印加する電圧印加手段と、
着色された荷電粒子を収容し、前記複数の画素電極部に亘って延びるように配置された荷電粒子収容室と、
前記荷電粒子収容室内に収容され前記複数の画素電極部に亘って延びる格子状部材と、を有する少なくとも３層の表示部を備え、
前記各画素電極部は、画素の中央に配置される第１電極、及び画素の周縁部に配置される第２電極を有し、
前記各荷電粒子収容室内の荷電粒子は、異なる色に着色されている、電気泳動表示装置。
【請求項２】
基板と、
前記基板に対して画素毎に形成された複数の画素電極部と、
前記各画素電極部に電圧を印加する電圧印加手段と、
着色された荷電粒子を収容し、前記複数の画素電極部に亘って延びるように配置された荷電粒子収容室と、
を有する少なくとも３層の表示部を備え、
前記各画素電極部は、画素の中央に配置される第１電極、及び画素の周縁部に配置される第２電極を有し、
前記各荷電粒子収容室内の荷電粒子は、異なる色に着色されており、フッ素を含有する材料からなるとともに負電荷を有するエレクトレット性粒子である、電気泳動表示装置。
【請求項３】
前記荷電粒子収容室内に収容され前記複数の画素電極部に亘って延びる格子状部材をさらに備える、請求項２に記載の電気泳動表示装置。
【請求項４】
前記各第１及び第２電極は、前記基板の一方面上に配置され、
前記電気印加手段は、前記基板の他方面上に形成されるとともに前記基板に設けられたスルーホールを介して前記各第１電極に接続される第１配線、及び前記基板の一方面上に形成され前記各第２電極に接続される第２配線を有する、請求項１〜３のいずれかに記載の電気泳動表示装置。
【請求項５】
前記各第１電極は、前記基板の一方面上に配置され、
前記各第２電極は、前記基板の他方面上に配置されており、
前記電気印加手段は、前記基板の一方面上に形成され前記各第１電極に接続される第１配線、及び前記基板の他方面上に形成され前記各第２電極に接続される第２配線を有する、請求項１〜３のいずれかに記載の電気泳動表示装置。
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
基板と、
前記基板に対して画素毎に形成された複数の画素電極部と、
前記各画素電極部に電圧を印加する電圧印加手段と、
着色された荷電粒子を収容し、前記複数の画素電極部に亘って延びるように配置された荷電粒子収容室と、
前記荷電粒子収容室内に収容され前記複数の画素電極部に亘って延びる、前記荷電粒子が特定位置に集まらないための格子状部材と、
を有する少なくとも３層の表示部を備え、
前記各画素電極部は、画素の中央に配置される第１電極、及び画素の周縁部に配置される第２電極を有し、
前記各荷電粒子収容室内の荷電粒子は、異なる色に着色されており、
前記各第１及び第２電極は、前記基板の一方面上に配置され、
前記電気印加手段は、前記基板の他方面上に形成されるとともに前記基板に設けられたスルーホールを介して前記各第１電極に接続される第１配線、及び前記基板の一方面上に形成され前記各第２電極に接続される第２配線を有する、電気泳動表示装置。
【請求項２】
基板と、
前記基板に対して画素毎に形成された複数の画素電極部と、
前記各画素電極部に電圧を印加する電圧印加手段と、
着色された荷電粒子を収容し、前記複数の画素電極部に亘って延びるように配置された荷電粒子収容室と、
前記荷電粒子収容室内に収容され前記複数の画素電極部に亘って延びる、前記荷電粒子が特定位置に集まらないための格子状部材と、
を有する少なくとも３層の表示部を備え、
前記各画素電極部は、画素の中央に配置される第１電極、及び画素の周縁部に配置される第２電極を有し、
前記各荷電粒子収容室内の荷電粒子は、異なる色に着色されており、
前記各第１電極は、前記基板の一方面上に配置され、
前記各第２電極は、前記基板の他方面上に配置されており、
前記電気印加手段は、前記基板の一方面上に形成され前記各第１電極に接続される第１配線、及び前記基板の他方面上に形成され前記各第２電極に接続される第２配線を有する、電気泳動表示装置。
【請求項３】
基板と、
前記基板に対して画素毎に形成された複数の画素電極部と、
前記各画素電極部に電圧を印加する電圧印加手段と、
着色された荷電粒子を収容し、前記複数の画素電極部に亘って延びるように配置された荷電粒子収容室と、
を有する少なくとも３層の表示部を備え、
前記各画素電極部は、画素の中央に配置される第１電極、及び画素の周縁部に配置される第２電極を有し、
前記各荷電粒子収容室内の荷電粒子は、異なる色に着色されており、フッ素を含有する材料からなるとともに負電荷を有するエレクトレット性粒子であり、
前記各第１及び第２電極は、前記基板の一方面上に配置され、
前記電気印加手段は、前記基板の他方面上に形成されるとともに前記基板に設けられたスルーホールを介して前記各第１電極に接続される第１配線、及び前記基板の一方面上に形成され前記各第２電極に接続される第２配線を有する、電気泳動表示装置。
【請求項４】
基板と、
前記基板に対して画素毎に形成された複数の画素電極部と、
前記各画素電極部に電圧を印加する電圧印加手段と、
着色された荷電粒子を収容し、前記複数の画素電極部に亘って延びるように配置された荷電粒子収容室と、
を有する少なくとも３層の表示部を備え、
前記各画素電極部は、画素の中央に配置される第１電極、及び画素の周縁部に配置される第２電極を有し、
前記各荷電粒子収容室内の荷電粒子は、異なる色に着色されており、フッ素を含有する材料からなるとともに負電荷を有するエレクトレット性粒子であり、
前記各第１電極は、前記基板の一方面上に配置され、
前記各第２電極は、前記基板の他方面上に配置されており、
前記電気印加手段は、前記基板の一方面上に形成され前記各第１電極に接続される第１配線、及び前記基板の他方面上に形成され前記各第２電極に接続される第２配線を有する、電気泳動表示装置。
【請求項５】
前記荷電粒子収容室内に収容され前記複数の画素電極部に亘って延びる、前記荷電粒子が特定位置に集まらないための格子状部材をさらに備える、請求項３又は４に記載の電気泳動表示装置。